(57)【要約】【課題】カセット部が不意の外力を受けても変形したり離脱することがない係止式コネクタ用遮蔽ハウジング組を提供する。【解決手段】第一端部には端子本体１００と連接し端子本体１００を収容するカセット部１１が形成され、カセット部１１の後端にワイヤ連接段１２が延設される第一ハウジング１０と、第一ハウジング１０のワイヤ連接段１２を跨り、ワイヤ連接段１２に係止され、ワイヤを収容するプレート部２１を有する第二ハウジング２０とを有する係止式コネクタ用遮蔽ハウジング組において、第二ハウジング２０の前側のエッジには、第一ハウジング１０のカセット部１１のパネル１１１に係止される下向きフック２１２が設けられる。【選択図】図１
0003128218.tif 000002
【実用新案登録請求の範囲】
【請求項１】
第一端部には端子本体と連接し端子本体を収容するカセット部が形成され、前記カセット部の後端にワイヤ連接段が延設される第一ハウジングと、
前記第一ハウジングのワイヤ連接段を跨り、前記ワイヤ連接段に係止され、ワイヤを収容するプレート部を有する第二ハウジングと、を備える係止式コネクタ用の遮蔽ハウジングにおいて、
前記第二ハウジングの前側のエッジには、前記第一ハウジングのカセット部のパネルに係止される下向きフックが設けられることを特徴とする遮蔽ハウジング。
【請求項２】
前記第一ハウジングのカセット部の後端のエッジには凸片が後ろへ突出し、前記凸片には係止穴が開設され、前記第二ハウジングの下向きフックが前記係止穴に係止されて、前記下向きフックが前記第二ハウジングの内側に挿入されることを特徴とする請求項１に記載の遮蔽ハウジング。
【請求項３】
前記第二ハウジングのプレート部の前段には、上に向いている突起部がプレス加工によって成形され、前記突起部と前記プレート部とが異なる平面に位置し、前記第一ハウジングの凸片が前記第二ハウジングの内側に挿入され、前記突起部の底端にはＵ字形の下向きフックが設けられることを特徴とする請求項１に記載の遮蔽ハウジング。
【請求項４】
前記第二ハウジングの各下向きフックと前記第一ハウジングの係止穴との係止箇所は溶接によって溶接部を形成し、前記溶接部により前記第一ハウジングと前記第二ハウジングとが結合されることを特徴とする請求項１に記載の遮蔽ハウジング。
【考案の詳細な説明】
【技術分野】
【０００１】
本考案は、下向きフックを有する遮蔽ハウジングに係り、特に、遮蔽ハウジング組の第二ハウジングにあるＵ字形の下向きフックを第一ハウジングのカセット部に係止することにより、第一ハウジングのカセット部は、不意の外力を受けても、湾折し変形することがない係止式コネクタ用遮蔽ハウジング組に関するものである。
【背景技術】
【０００２】
目下、従来のコネクタは、図６に示すように、一つの端子本体１００を有し、一つのケーブル１０３と連接し、前記端子本体１００は、第一ハウジング５１と第二ハウジング５２とから構成される遮蔽ハウジング組に覆われ、前記端子本体１００が前記第一ハウジング５１の前端にあるカセット部５１１に嵌め設けられ、そして第一ハウジング５１の前段にあるカセット部５１１が外部に露出するように、前記遮蔽ハウジング組の後段の外周を絶縁層５３で被覆し、そうすると、コネクタの組付作業が完成する。
【考案の開示】
【考案が解決しようとする課題】
【０００３】
しかしながら、上記のコネクタは、第一ハウジング５１のカセット部５１１が外部に露出するので、作用力Ｆを受けると、その自在端５１１ａは作用力Ｆに抵抗する支点がないので、図５に示すように、カセット部５１１が湾折されて変形する欠点があった。
【課題を解決するための手段】
【０００４】
上記欠点を解決するためになされた本考案による係止式コネクタ用遮蔽ハウジング組は、第一端部には端子本体と連接し端子本体を収容するカセット部が形成され、前記カセット部の後端にワイヤ連接段が延設される第一ハウジングと、前記第一ハウジングのワイヤ連接段を跨り、前記ワイヤ連接段に係止され、ワイヤを収容するプレート部を有する第二ハウジングとを有する係止式コネクタ用遮蔽ハウジング組において、前記第二ハウジングの前側のエッジには、前記第一ハウジングのカセット部のパネルに係止される下向きフックが設けられる。
本考案では、前記第一ハウジングのカセット部の後端のエッジには凸片が後ろへ突出し、前記凸片には係止穴が開設され、前記第二ハウジングの下向きフックが前記係止穴に係止されて、前記下向きフックが前記第二ハウジングの内側に挿入されてもよい。
【０００５】
本考案では、前記第二ハウジングのプレート部の前段には、上に向いている突起部がプレス加工によって成形され、前記突起部と前記プレート部とが異なる平面に位置し、前記第一ハウジングの凸片が前記第二ハウジングの内側に挿入され、且つ前記突起部の底端にはＵ字形の下向きフックが設けられてもよい。
本考案では、前記第二ハウジングの各下向きフックと前記第一ハウジングの係止穴との係止箇所は溶接によって溶接部を形成し、前記溶接部により前記第一ハウジングと前記第二ハウジングとが結合されてもよい。
【０００６】
（考案の効果）
本考案の係止式コネクタ用遮蔽ハウジング組によれば、第一ハウジングのカセット部が不意の外力を受けても、カセット部は、ワイヤ連接段との連接箇所が湾折されて変形したり、第二ハウジングから離脱することはないという効果がある。
【考案を実施するための最良の形態】
【０００７】
以下、添付図面を参照して本考案の好適な実施の形態を詳細に説明する。
まず、図１ないし図４を参照する。本考案の一実施例による係止式コネクタ用遮蔽ハウジング組は、その第一端部に端子本体１００を収容するカセット部１１が形成され、前記カセット部１１の後端にワイヤ連接段１２が延設される第一ハウジング１０と、前記第一ハウジング１０の後段にあるワイヤ連接段１２を跨り、前記ワイヤ連接段１２に係止され、ワイヤを収容する第二ハウジング２０とを有し、前記第二ハウジング２０の前側のエッジには、前記第一ハウジング１０のカセット部１１のパネル１１１に係止されるＵ字形の下向きフック２１２が設けられ、これにより、第一ハウジング１０のカセット部１１が不意の作用力Ｆを受けても、カセット部１１は、ワイヤ連接段１２との連接箇所が湾折されて変形したり、第二ハウジング２０から離脱することはない。
【０００８】
前記端子本体１００は、絶縁材料で作製されたものであり、端子嵌め穴１０１が多数開設され、端子１０２を収容可能であり、前記各端子１０２をぞれぞれケーブル１０３のうちの一つのワイヤ１０３ａと連接して、それらを前記第二ハウジング２０に係止して、第一ハウジング１０の後段を絶縁層５３で被覆し、そうすると、コネクタの組付作業が完成する。しかし、本実施例の端子本体１００と絶縁層５３との構造は、本考案の実用新案登録請求範囲に属さず、もちろん、本考案は別の市販している端子本体に適用することもできる。
【０００９】
また、本実施例の係止式コネクタ用遮蔽ハウジング組において、第一ハウジング１０は、金属板で一体成形されたものであり、カセット部１１でのパネル１１１の後端にあるエッジで凸片１１２が後ろへ突出し、前記凸片１１２には係止穴１１３が開設され、第二ハウジング２０にある下向きフック２１２が前記係止穴１１３に係止され、且つ前記凸片１１２が第二ハウジング２０の内側に挿入される。
【００１０】
本実施例の第二ハウジング２０は、金属板で一体成形されたものであり、一つのプレート部２１を有し、前記プレート部２１の両側がそれぞれ下に湾折されて側壁２２を形成し、前記各側壁２２には係止穴２２１が多数開設され、第一ハウジング１０のワイヤ連接段１２の両側にある側壁１２１のフック１２２が前記係止穴２２１に係止される。しかし、上記の構造は、市販しているコネクタに広汎に適用され、本考案の実用新案登録請求範囲に属しないので、説明を省略した。
【００１１】
本実施例の第二ハウジング２０において、プレート部２１の前段には、上に向いている突起部２１１がプレス加工によって成形され、前記突起部２１１と前記プレート部２１とが異なる平面に位置され、前記第一ハウジング１０の凸片１１２が前記第二ハウジング２０の内側に挿入され、これにより、第二ハウジング２０の強度が強化され、且つ前記突起部２１１の底端にはＵ字形の下向きフック２１２が設けられ、前記下向きフック２１２が第一ハウジング１０の凸片１１２にある係止穴１１３に係止される。
本考案の実施例による係止式コネクタ用遮蔽ハウジング組は、高密度マルチメディア界面（High Definition Multimedia Interface、「ＨＤＭＩ」と略称）タイプのコネクタ、または汎用型シリアルバス（Universal Serial Bus、「ＵＳＢ」と略称）などに適用することが可能であり、適用可能のコネクタの種類は限定されない。
【００１２】
また、図４に示すように、本実施例の第一ハウジング１０と第ニハウジング２０とが互いに係止し連接すると、カセット部１１に不意の作用力Ｆが加えられたときに、第二ハウジング２０の各下向きフック２１２が第一ハウジング１０のカセット部１１のパネル１１１の後端に係止され、且つ第一ハウジング１０の凸片１１２が第二ハウジング２０のプレート部２１に挿入され、これにより、当該箇所で有効な抵抗支点が形成され、カセット部１１とワイヤ連接段１２との連接箇所が湾折されて変形することはなくなり、そうすると、製品の信頼度が増加する。
【００１３】
また、図５に示すように、本実施例の係止式コネクタ用遮蔽ハウジング組は、第二ハウジング２０の各下向きフック２１２と第一ハウジング１０の係止穴１１３との係止箇所は溶接（例えばアーク溶接や半田付けなど）によって溶接部６０を形成し、前記溶接部６０により前記第一ハウジング１０と前記第二ハウジング２０とが強固に結合される。
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１４】
【図１】本考案の一実施例による係止式コネクタ用遮蔽ハウジング組の分解斜視図である。
【図２】本考案の一実施例による係止式コネクタ用遮蔽ハウジング組の斜視図である。
【図３】本考案の一実施例による係止式コネクタ用遮蔽ハウジング組において、図２の３−３線に沿う第一ハウジング及び第二ハウジングの断面を含む模式図である。
【図４】本考案の一実施例による係止式コネクタ用遮蔽ハウジング組の断面図である。
【図５】本考案の一実施例による係止式コネクタ用遮蔽ハウジング組において、第二ハウジングにある下向きフックを第一ハウジングに溶接した状態を示す模式図である。
【図６】従来のコネクタ用遮蔽ハウジング組の構造を示す断面図である。
【符号の説明】
【００１５】
１００：端子本体、１０１：端子嵌め穴、１０２：端子、１０３：ケーブル、１０３ａ：ワイヤ、１０：第一ハウジング、１１：カセット部、１１１：パネル、１１２：凸片、１１３：係止穴、１２：ワイヤ連接段、１２１：側壁、１２２：フック、２０：第二ハウジング、２１：プレート部、２１１：突起部、２１２：下向きフック、２２：側壁、２２１：係止穴、Ｆ：作用力、５１：第一ハウジング、５２：第二ハウジング、５１１：カセット部、５１１ａ：自在端、５３：絶縁層、６０：溶接部
【図１】
0003128218.tif 000003
【図２】
0003128218.tif 000004
【図３】
0003128218.tif 000005
【図４】
0003128218.tif 000006
【図５】
0003128218.tif 000007
【図６】
0003128218.tif 000008